(57)【要約】【課題】コストの増加を抑制し、設置の自由度を高くしながら、放送エリアを拡大したい。【解決手段】放送装置１０は、可変の放送周波数の放送信号に対応した中間周波数の中間信号を生成し、生成した中間信号をデジタル信号へアナログ／デジタル変換する。また、放送装置１０は、変換したデジタル信号を通信信号にて送信する。中継装置１４は、通信信号を受信し、受信した通信信号に含まれたデジタル信号を中間信号へデジタル／アナログ変換する。また、中継装置１４は、中間信号を放送信号へ周波数変換し、変換した放送信号を送信する。ここで、放送装置１０は、中間周波数と放送周波数との間の周波数に関する指示も通信信号にて送信し、中継装置１４は、周波数変換の際のパラメータを指示に応じて設定した後に、中間信号を放送信号へ周波数変換する。【選択図】図１
2010109469.tif 000002
【特許請求の範囲】
【請求項１】
可変の放送周波数の放送信号に対応した中間周波数の中間信号を生成する生成部と、前記生成部において生成した中間信号をデジタル信号へアナログ／デジタル変換する第１変換部と、前記第１変換部において変換したデジタル信号を通信信号にて送信する第１通信部とを備える放送装置と、
前記第１通信部からの通信信号を受信する第２通信部と、前記第２通信部において受信した通信信号に含まれたデジタル信号を中間信号へデジタル／アナログ変換した後に、中間信号を放送信号へ周波数変換する第２変換部と、前記第２変換部において変換した放送信号を送信する送信部とを備える中継装置とを備え、
前記第１通信部は、中間周波数と放送周波数との間の周波数に関する指示も通信信号にて送信し、
前記第２通信部は、指示が含まれた通信信号も受信し、
前記第２変換部は、周波数変換の際のパラメータを指示に応じて設定した後に、中間信号を放送信号へ周波数変換することを特徴とする放送システム。
【請求項２】
前記中継装置は、複数備えられており、
前記放送装置は、
複数の中継装置のそれぞれにおいて使用される放送周波数をもとに、中間周波数と放送周波数との間の周波数に関する指示を中継装置単位に生成し、生成した指示を前記第１通信部へ出力する制御部をさらに備えることを特徴とする請求項１に記載の放送システム。
【請求項３】
前記放送装置は、
前記生成部において生成した中間信号の変調方式に関する情報を取得する取得部と、
前記取得部において取得した情報をもとに、前記第１変換部におけるアナログ／デジタル変換の際の量子化数を決定する決定部とをさらに備え、
前記第１変換部は、前記決定部において決定した量子化数をもとに、中間信号をデジタル信号へアナログ／デジタル変換し、
前記第１通信部は、前記決定部において決定した量子化数も通信信号にて送信し、
前記第２通信部は、量子化数が含まれた通信信号も受信し、
前記第２変換部は、量子化数をもとに、デジタル信号を中間信号へデジタル／アナログ変換することを特徴とする請求項１または２に記載の放送システム。
【発明の詳細な説明】
【技術分野】
【０００１】
本発明は、放送システムに関し、特に放送信号を中継しながら放送する放送システムに関する。
【背景技術】
【０００２】
テレビジョン放送システム等の放送システムにおいては、放送局から電磁波として信号が送信される。テレビジョン放送受像装置は、放送局から送信された信号を受信し、受信した信号から画像情報、音声情報等を取得する。放送局が送信する信号については、放送局が放送圏とする地域に存在するテレビジョン放送受像装置において所定の品質の情報が得られるよう、送信電力、所望信号対妨害波比等の規定が定められている。しかしながら、放送局がその規定を満足する信号を送信したとしても、放送圏内において電磁波の障害物等が存在すると、テレビジョン放送受像装置において受信される信号の電界強度が不十分となり、放送圏内において所定の品質の情報が得られない地域が生じる。そこで、このような品質劣化地域を減少させるため、放送局から送信された信号を受信し、増幅して送信する中継を行う中継装置が放送圏内に設置される。
【０００３】
例えば、中継装置は、受信アンテナによって、複数のチャンネルによって形成されたアナログ変調信号を受信し、受信した信号を分波器に出力する。分波器は、受信した信号をチャンネル単位に分離する。すなわち、分波器は、所望のチャンネル以外の周波数帯域の信号を減衰させた信号を出力する。分波器は、複数の信号を複数のチャンネル帯域内増幅部に出力する。チャンネル帯域内増幅部のそれぞれは、チャンネル単位の信号を増幅した後、中間周波数帯域の信号に変換する。また、所望のチャンネル以外の信号を減衰させる帯域制限を行った後、中間周波数での増幅を行い、再び放送周波数帯域に変換してから、増幅する。増幅された複数の信号は、合波器に出力される。合波器は、複数の信号を合成する。合波器によって合成した信号は、送信アンテナを介して電磁波として送信される。
【０００４】
このような中継装置は、受信した信号を複数のチャンネルに分離し、それぞれのチャンネルの周波数帯域に対し個別に帯域制限および増幅等を行う。これは、互いに異なる複数のチャンネル周波数帯域のアナログ変調信号が互いに影響し合って発生する相互変調による妨害波、あるいは、各チャンネル周波数帯域に近い周波数帯域に重畳するノイズによって発生する妨害波をできるだけ低減させるためである（例えば、特許文献１、２参照）。近年、ディジタル変調された信号を用いて情報を送信するディジタルテレビジョン放送が利用されるようになっており、アナログ変調信号とディジタル変調信号とが混在する状況となっている。このような状況下においても、前述の中継装置が使用される。一般的に、ディジタルテレビジョン放送は、従来のテレビジョン放送よりも多くのチャンネルによって構成される。そのため、前述の構成では、チャンネル数に応じたチャンネル帯域内増幅部が必要となるので、チャンネル数が増加するにつれて回路が大規模な構成となり、製造コストが増大してしまう。
【０００５】
これを解決するために、複数のチャンネルに対応した帯域を通過可能なディジタルフィルタを備えた中継装置が提案されている。また、ディジタルフィルタは、複数のタップにて構成されており、複数のタップのそれぞれに対応した係数は、可変の値に設定される。そのため、中継すべきチャンネルを通過するバンドパスフィルタを実現するようなタップ係数が、ディジタルフィルタに設定されることによって、中継装置は、所望のチャンネルを選択的に中継できる（例えば、特許文献３参照）。
【特許文献１】特開２０００−３２４０３６号公報
【特許文献２】特開２００７−２８８５７２号公報
【特許文献３】特開２００７−０４３５８３号公報
【発明の開示】
【発明が解決しようとする課題】
【０００６】
放送事業者以外の団体等にとって、自主番組を放送したいという要望がある。例えば、商店街やショッピングセンター等の限られたエリアにおいて、店舗の広告のような番組を放送したいという要望である。ディジタルテレビジョン放送に対応した受像装置をユーザが既に所有している場合、自主番組がディジタルテレビジョン放送に対応していれば、追加の投資がなくても、ユーザは自主番組を視聴できる。一方、放送事業者による放送に及ぼす影響を低減しながらも、自主番組を放送するための放送システムの導入を簡易にするために、放送信号の送信電力は低い方が好ましい。このような状況下において、自主番組を放送させたいエリアが広くなると、複数の中継装置の設置が要求される。しかしながら、各中継装置に変復調部等が設けられると、中継装置の回路規模やコストが増加してしまう。
【０００７】
本発明はこうした状況に鑑みてなされたものであり、その目的は、コストの増加を抑制し、設置の自由度を高くしながら、放送エリアを拡大する技術を提供することにある。
【課題を解決するための手段】
【０００８】
上記課題を解決するために、本発明のある態様の放送システムは、可変の放送周波数の放送信号に対応した中間周波数の中間信号を生成する生成部と、生成部において生成した中間信号をデジタル信号へアナログ／デジタル変換する第１変換部と、第１変換部において変換したデジタル信号を通信信号にて送信する第１通信部とを備える放送装置と、第１通信部からの通信信号を受信する第２通信部と、第２通信部において受信した通信信号に含まれたデジタル信号を中間信号へデジタル／アナログ変換した後に、中間信号を放送信号へ周波数変換する第２変換部と、第２変換部において変換した放送信号を送信する送信部とを備える中継装置とを備える。第１通信部は、中間周波数と放送周波数との間の周波数に関する指示も通信信号にて送信し、第２通信部は、指示が含まれた通信信号も受信し、第２変換部は、周波数変換の際のパラメータを指示に応じて設定した後に、中間信号を放送信号へ周波数変換する。
【０００９】
この態様によると、放送装置と中継装置との間において通信信号を使用するので、設置の自由度を高くしながら、エリアを拡大できるとともに、放送装置から中継装置へ周波数に関する指示を送信するので、中継装置における処理を簡易にできる。
【００１０】
中継装置は、複数備えられており、放送装置は、複数の中継装置のそれぞれにおいて使用される放送周波数をもとに、中間周波数と放送周波数との間の周波数に関する指示を中継装置単位に生成し、生成した指示を第１通信部へ出力する制御部をさらに備えてもよい。この場合、周波数に関する指示を中継装置単位に生成するので、複数の中継装置を制御できる。
【００１１】
放送装置は、生成部において生成した中間信号の変調方式に関する情報を取得する取得部と、取得部において取得した情報をもとに、第１変換部におけるアナログ／デジタル変換の際の量子化数を決定する決定部とをさらに備えてもよい。第１変換部は、決定部において決定した量子化数をもとに、中間信号をデジタル信号へアナログ／デジタル変換し、第１通信部は、決定部において決定した量子化数も通信信号にて送信し、第２通信部は、量子化数が含まれた通信信号も受信し、第２変換部は、量子化数をもとに、デジタル信号を中間信号へデジタル／アナログ変換してもよい。この場合、変調方式に応じて量子化数を決定するので、データの品質の悪化を抑制しながら、通信信号のデータ量を低減できる。
【００１２】
なお、以上の構成要素の任意の組合せ、本発明の表現を方法、装置、システム、記録媒体、コンピュータプログラムなどの間で変換したものもまた、本発明の態様として有効である。
【発明の効果】
【００１３】
本発明によれば、コストの増加を抑制し、設置の自由度を高くしながら、放送エリアを拡大できる。
【発明を実施するための最良の形態】
【００１４】
本発明を具体的に説明する前に、概要を述べる。本発明の実施例は、ディジタルテレビジョン放送に対応した信号（以下、「放送信号」という）を送信する放送システムに関する。放送信号では、複数のチャンネルに対して周波数多重がなされている。また、各チャンネルは、複数のセグメントによって形成されている。なお、ひとつのチャンネルに含まれたひとつのセグメントは、１セグメント放送として使用される。つまり、当該セグメントを受信するだけでも、番組が視聴される。放送事業者以外の団体等が放送信号を送信することによって、自主番組を放送する場合に、コストの増加の抑制、設置の自由度の向上、放送エリア拡大が要求される。これに対応するために、次の処理が実行される。
【００１５】
本発明の実施例に係る放送システムは、放送装置と中継装置とによって構成される。放送装置と中継装置とは、例えば、無線ＬＡＮ（Ｌｏｃａｌ  Ａｒｅａ  Ｎｅｔｗｏｒｋ）システムのような通信システムによって接続される。以下では、通信システムにおいて規定された信号を「通信信号」と呼ぶ。放送装置は、番組が含まれた中間周波数の信号（以下、「中間信号」という）を生成する。ここで、中間信号には、番組が変調された状態にて含まれている。なお、放送信号は、放送周波数の信号である。また、中間信号と放送信号とは、周波数帯が異なるだけで、同一の信号形式を有する。つまり、中間信号は、放送信号へ周波数変換する前の信号といえる。放送装置は、中間信号を通信信号に格納し、通信信号を送信する。
【００１６】
中継装置は、放送装置からの通信信号を受信し、通信信号から中間信号を抽出する。また、中継装置は、中間信号を放送信号へ周波数変換し、放送信号を送信する。テレビジョン放送受像装置は、中継装置からの放送信号を受信する。このような構成において、エリアを拡大するために、複数の中継装置が備えられる。その際、複数の中継装置のそれぞれから送信される放送信号には、互いの干渉を低減するような放送周波数やセグメント（以下、「チャンネル」と総称する）の使用が望まれる。また、放送装置は、中間信号を通信信号に格納する際、中間信号をＡＤ変換器にてデジタル信号へ変換する。その際、通信システムのトラヒック量の増加を抑制するために、ＡＤ変換器の量子化数は少ない方が望ましい。一方、量子化数を少なくしすぎると、中継装置とテレビジョン受像装置間における品質の悪化が大きくなる。このような量子化数は、中間信号や放送信号において使用される変調方式に応じて異なる。
【００１７】
これに対応するために、放送装置は、各中間装置が使用すべきチャンネルを規定し、チャンネルの一覧をテーブル（以下、「第１テーブル」という）に含めて記憶する。また、放送装置は、変調方式と量子化数との対応を予めテーブル（以下、「第２テーブル」という）として記憶しており、ユーザから変調方式を受けつける。放送装置は、第２テーブルを参照しながら、変調方式から量子化数を導出し、量子化数をＡＤ変換器へ設定する。また、放送装置は、量子化数も第１テーブルに記憶する。さらに、放送装置は、第１テーブルを通信信号に含めて中継装置へ送信する。中継装置は、受けつけた第１テーブルから、対応したチャンネルおよび量子化数の情報を抽出する。中継装置は、抽出した量子化数にて通信信号をアナログ信号へ変換する。このようなアナログ信号が前述の中間信号に相当する。また、中継装置は、抽出したチャンネルに対応するように局部発振部の周波数を設定し、中間信号を放送信号へ周波数変換する。
【００１８】
なお、デジタルラジオ放送に対して、ひとつのセグメント成分を３つのセグメント成分と読み替えることによって、本実施例はデジタルラジオ放送に適用される。さらに、セグメントの概念を有するシステムに対して、少なくともひとつのセグメント成分であって、かつ復調可能な数のセグメント成分を抽出することによって、本実施例は当該システムに適用される。以下では、説明を明瞭にするためのこれらの変形例の説明を省略する。
【００１９】
図１は、本発明の実施例に係る放送システム１００の構成を示す。放送システム１００は、放送装置１０、中継装置１４と総称される第１中継装置１４ａ、第２中継装置１４ｂ、第Ｎ中継装置１４ｎ、受像装置１６と総称される第１受像装置１６ａ、第２受像装置１６ｂ、第Ｍ受像装置１６ｍを含む。放送装置１０は、放送装置用アンテナ２２を含み、中継装置１４は、中継装置通信用アンテナ２４と総称される第１中継装置通信用アンテナ２４ａ、第２中継装置通信用アンテナ２４ｂ、第Ｎ中継装置通信用アンテナ２４ｎ、中継装置送信用アンテナ２６と総称される第１中継装置送信用アンテナ２６ａ、第２中継装置送信用アンテナ２６ｂ、第Ｎ中継装置送信用アンテナ２６ｎを含み、受像装置１６は、受像装置用アンテナ２８と総称される第１受像装置用アンテナ２８ａ、第２受像装置用アンテナ２８ｂ、第Ｍ受像装置用アンテナ２８ｍを含む。
【００２０】
放送装置１０は、番組が含まれた中間信号を生成する。前述のごとく、中間信号は、放送信号と同一の形式でありながら、異なった周波数の信号であり、放送信号とは、ディジタルテレビジョン放送に対応した信号である。また、ディジタルテレビジョン放送とは、例えば、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）、ＤＶＢ（Ｄｉｇｉｔａｌ  Ｖｉｄｅｏ  Ｂｒｏａｄｃａｓｔｉｎｇ）にて規定されたシステムである。ＩＳＤＢ−Ｔでは、複数のチャンネルに対して周波数分割多重がなされている。
【００２１】
また、各チャンネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号によって形成されており、かつ複数のセグメントによって形成されている。具体的には、４２９ＫＨｚ幅のセグメントが１３個含まれている。１３個のセグメントのうち、ひとつはワンセグメント放送用に予約されている。ワンセグメント放送用に予約されたセグメントは、中央のセグメントであり、セグメント番号「０」であるとする。なお、前述のごとく、以下では、セグメントおよびチャンネルを「チャンネル」と総称する。また、中間信号や放送信号の変調多値数は、可変に規定されている。例えば、１３個のセグメントを使用する場合に、変調方式として６４ＱＡＭが使用され、ワンセグメント放送を使用する場合に、変調方式としてＱＰＳＫが使用されている。
【００２２】
ここで、放送装置１０は、中間信号をアナログ／デジタル変換することによってデジタル信号を生成する。また、放送装置１０は、変調方式と量子化数との対応が示された第２テーブルを予め記憶しているとともに、ユーザから変調方式を受けつける。放送装置１０は、第２テーブルを参照しながら、変調方式から量子化数を導出する。放送装置１０は、前述のアナログ／デジタル変換の際に、導出した量子化数を使用する。つまり、量子化数をもとにデジタル信号が生成される。さらに、放送装置１０は、各中継装置１４にて使用されるチャンネルが互いに干渉しないように、各中継装置１４に対するチャンネルを規定し、それを第１テーブルに含める。また、放送装置１０は、量子化数の情報も第１テーブルに含める。放送装置１０は、第１テーブルおよびデジタル信号を通信信号に格納する。放送装置１０は、放送装置用アンテナ２２から通信信号を送信する。
【００２３】
中継装置１４は、例えば、放送装置１０からの通信信号を受信できるような位置に配置されている。中継装置１４は、中継装置通信用アンテナ２４を介して、放送装置１０からの通信信号を受信する。中継装置１４は、通信信号から、第１テーブルおよびデジタル信号を抽出し、第１テーブル中の量子化数の情報を使用しながら、デジタル信号をアナログ信号にデジタル／アナログ変換することによって中間信号を生成する。また、中継装置１４は、第１テーブルに含まれた局部発振信号の周波数を設定しながら、中間信号を周波数変換することによって、放送信号を生成する。中継装置１４は、中継装置送信用アンテナ２６を介して、放送信号を送信する。なお、第１テーブルには、他の中継装置１４に対する情報も含まれているので、中継装置１４は、第１テーブルの中から、自らに関する情報を選択する。
【００２４】
受像装置１６は、所定の中継装置１４からの放送信号を受信できる位置に配置されている。受像装置１６は、受像装置用アンテナ２８を介して、中継装置１４からの放送信号を受信する。受像装置１６は、放送信号のうち、所定のチャンネル成分を復調することによって、所定のチャンネル成分に含まれた番組を再生する。また、受像装置１６は、図示しないモニタに番組を表示する。仮に、受像装置１６が、図示しない放送事業者の放送局からの放送信号を直接受信できる位置に配置されていれば、受像装置１６は、当該放送信号を受信し、放送信号に含まれた番組を再生できる。
【００２５】
図２は、放送装置１０の構成を示す。放送装置１０は、生成部３０と総称される第１生成部３０ａ、第２生成部３０ｂ、第Ｎ生成部３０ｎ、ＡＤ変換部１３２と総称される第１ＡＤ変換部１３２ａ、第２ＡＤ変換部１３２ｂ、第ＮＡＤ変換部１３２ｎ、シリアル／ＩＰ変換部１３４と総称される第１シリアル／ＩＰ変換部１３４ａ、第２シリアル／ＩＰ変換部１３４ｂ、第Ｎシリアル／ＩＰ変換部１３４ｎ、通信部５４、放送装置用アンテナ２２、制御部４０、記憶部４２、入力部４４を含む。また、生成部３０は、データ受付部３２、変調部３４、ＩＦＦＴ部３６、直交変調部３８を含み、制御部４０は、ＲＦチャンネル・セグメント番号決定部４６、局発周波数決定部４８、量子化数決定部５０を含む。
【００２６】
複数の生成部３０は、図１に示された複数の中継装置１４にそれぞれ対応付けられるように設けられる。データ受付部３２は、放送システム１００において放送すべき番組を受けつける。データ受付部３２は、図示しない記憶部に接続され、記憶部に記憶された番組を読み取る。ここで、番組は、動画像データであり、かつデジタルデータとして形成されている。なお、このような動画像データやデジタルデータには公知の技術が使用されればよいので、ここでは説明を省略する。また、各生成部３０に対応したデータ受付部３２は、互いに異なった番組を受けつける。データ受付部３２は、番組を変調部３４へ出力する。
【００２７】
変調部３４は、データ受付部３２から番組を受けつける。変調部３４は、番組に対応したデータを変調する。変調部３４は、変調に使用すべき変調方式として、ＱＰＳＫや６４ＱＡＭを使用する。なお、変調部３４は、制御部４０からの指示に応じて使用すべき変調式を選択する。変調部３４は、変調結果をＩＦＦＴ部３６へ逐次出力する。ＩＦＦＴ部３６は、変調部３４からの変調結果を受けつける。ＩＦＦＴ部３６は、変調結果を周波数領域のサブキャリアに配置させることによって、周波数領域のＯＦＤＭ信号を生成する。また、ＩＦＦＴ部３６は、周波数領域のＯＦＤＭ信号に対してＩＦＦＴを実行することによって、時間領域のＯＦＤＭ信号を生成する。ここで、周波数領域のＯＦＤＭ信号および時間領域のＯＦＤＭ信号は、ディジタルテレビジョン放送において定められたＯＦＤＭ信号に相当する。変調部３４は、時間領域のＯＦＤＭ信号を直交変調部３８へ逐次出力する。
【００２８】
直交変調部３８は、変調部３４からの時間領域のＯＦＤＭ信号を直交変調することによって、中間信号を生成する。前述のごとく、中間信号は、放送信号と周波数帯域が異なっているので、放送信号に対応した信号といえる。なお、放送信号にて使用すべき放送周波数は、複数規定されており、可変に規定されている。ＡＤ変換部１３２は、直交変調部３８から中間信号を受けつけ、中間信号をアナログ／デジタル変換することによって、前述のデジタル信号を生成する。ここで、ＡＤ変換部１３２は、デジタル信号を生成する際に、量子化数に関する指示を量子化数決定部５０から受けつける。つまり、ＡＤ変換部１３２は、量子化数決定部５０において決定した量子化数をもとに、中間信号をデジタル信号へアナログ／デジタル変換する。
【００２９】
ここでは、量子化数の設定について説明する。図１の受像装置１６は、前述のごとく放送信号を受信して、番組を再生するが、その際、番組を再生するために最低限必要となる放送信号のＣＮ値（以下、「最低ＣＮ値」という）が定められている。つまり、受像装置１６は、最低ＣＮ値よりも低いＣＮ値の放送信号を受信しても、番組を再生できない。そのため、放送装置１０および中継装置１４には、受像装置１６において最低ＣＮ値以上となるように、量子化および中継を実行することが要求される。ここでは、受像装置１６における最低ＣＮ値を満たすための放送装置１０でのＣＮ値を「所要ＣＮ値」というものとする。その結果、ＡＤ変換部１３２では、所要ＣＮ値を満たすような量子化数が必要となる。
【００３０】
一方、受像装置１６におけるＣＮ値には、最低ＣＮ値よりも高いことが要求されるが、余り高くなっても受像装置１６において再生される番組の品質は向上しない。一方、そのようなＣＮ値とするために、ＡＤ変換部１３２での量子化数を増加させると、通信信号にて伝送されるべきデータの量が大きくなってしまう。これらのことを考慮すると、ＡＤ変換部１３２には、所要ＣＮ値を満たすような量子化数が設定されるべきである。また、所要ＣＮ値は、一般的に、放送信号や中間信号において使用される変調方式に依存する。例えば、変調方式の変調多値数が大きくなると、所要ＣＮ値も大きくなる。これに対応するために、入力部４４は、ボタン等のインターフェイスを有し、インターフェイスを介してユーザからの変調多値数の入力を受けつける。つまり、入力部４４は、生成部３０において生成した中間信号の変調方式に関する情報を取得する。ここで、変調方式に関する情報は、生成部３０ごとに入力される。また、入力部４４は、変調多値数を量子化数決定部５０へ出力する。
【００３１】
記憶部４２は、変調多値数と量子化数との対応が示されたテーブルを記憶する。図３は、記憶部４２に記憶されたテーブルのデータ構造を示す。テーブルは、前述の第２テーブルに相当する。テーブルは、図示のごとく、変調方式欄２００、量子化数欄２０２を含む。変調方式欄２００が変調多値数に相当し、ここでは、変調多値数「ＱＰＳＫ」に対応した量子化数が「４」ビットのように規定されている。図２に戻る。量子化数決定部５０は、入力部４４から変調多値数を受けつける。量子化数決定部５０は、記憶部４２に記憶したテーブルを参照しながら、受けつけた変調多値数から量子化数を導出する。量子化数決定部５０は、導出した量子化数をＡＤ変換部１３２へ出力することによって、量子化数をＡＤ変換部１３２でのアナログ／デジタル変換に使用させる。つまり、量子化数決定部５０は、入力部４４において取得した変調多値数をもとに、ＡＤ変換部１３２におけるアナログ／デジタル変換の際の量子化数を決定する。
【００３２】
シリアル／ＩＰ変換部１３４は、ＡＤ変換部１３２からデジタル信号を受けつける。後述の通信部５４にて通信に使用すべき信号は、ＩＰ（Ｉｎｔｅｒｎｅｔ  Ｐｒｏｔｏｃｏｌ）パケット形式を有している。ＩＰパケットには、公知の技術が使用されればよいので、ここでは説明を省略する。シリアル／ＩＰ変換部１３４は、デジタル信号をＩＰパケットに格納する。以下では、デジタル信号が含まれたＩＰパケットを「通信信号」という。シリアル／ＩＰ変換部１３４は、通信信号を通信部５４へ出力する。
【００３３】
通信部５４は、無線ＬＡＮシステムに対応した通信機能を有する。なお、無線ＬＡＮシステムとして公知の技術が使用されればよいので、ここでは説明を省略する。通信部５４は、放送装置用アンテナ２２を介して、無線ＬＡＮシステムの通信機能を有した図示しない中継装置１４との通信を実行する。通信部５４は、シリアル／ＩＰ変換部１３４から通信信号を受けつけ、放送装置用アンテナ２２を介して通信信号を中継装置１４へ送信する。ここで、各中継装置１４に対してＩＰアドレスが付与されており、通信部５４は、通信信号を送信すべき中継装置１４に対応したＩＰアドレスを通信信号に付与する。つまり、通信部５４は、通信信号を送信すべき中継装置１４を宛先として、当該通信信号をユニキャスト送信する。
【００３４】
前述の入力部４４は、前述の変調方式に対する情報に加えて、中継装置１４を識別するための情報、中継装置１４からの放送信号に使用される帯域幅に関する情報も入力する。中継装置１４を識別するための情報には、中継装置１４の名称、中継装置１４のＩＰアドレスが含まれ、中継装置１４からの放送信号に使用される帯域幅に関する情報には、チャンネル数、セグメント数に関する情報が含まれる。さらに、入力部４４は、中継装置１４との間の通信システムにおいて使用する周波数に関する情報も入力する。入力部４４は、入力したこれらの情報をＲＦチャンネル・セグメント番号決定部４６へ出力する。
【００３５】
ＲＦチャンネル・セグメント番号決定部４６は、入力部４４からの情報を受けつける。ＲＦチャンネル・セグメント番号決定部４６は、複数の中継装置１４のそれぞれからの放送信号間の干渉が互いに小さくなるように、複数の中継装置１４のそれぞれからの放送信号にて使用させるチャンネルを決定する。ここで、チャンネルは、ＲＦチャンネルとセグメントとによって特定されるので、ＲＦチャンネル・セグメント番号決定部４６は、各中継装置１４に対するＲＦチャンネル番号とセグメント番号とを決定する。具体的に説明すると、ＲＦチャンネル・セグメント番号決定部４６は、まだ使用されていないチャンネルを選択する。
【００３６】
局発周波数決定部４８は、ＲＦチャンネル・セグメント番号決定部４６から、各中継装置１４に対するＲＦチャンネル番号とセグメント番号とを入力する。局発周波数決定部４８は、ＲＦチャンネル番号とセグメント番号、つまり中継装置１４において使用される放送周波数をもとに、中間信号と放送信号との間の周波数に関する指示を中継装置１４単位に生成する。ここで、中間信号と放送信号との間の周波数とは、中継装置１４での局部発振信号の周波数に相当する。図４は、局発周波数決定部４８の動作概要を示す。これは、ひとつのＯＦＤＭ信号を周波数領域にて示した図である。図の左側が低周波数側に相当し、図の右側が高周波数側に相当する。また、ひとつのＯＦＤＭ信号は、前述のごとく、１３個のセグメントに分割されており、セグメント番号が、低周波数側から順番に、「１１」、「９」、「７」、・・・、「１０」、「１２」のように付与されている。
【００３７】
セグメント「０」だけが使用される場合、その中心の周波数「ｆ１」が中間信号の周波数に設定されている。そのため、ＲＦチャンネル・セグメント番号決定部４６は、放送信号の中心周波数と中間信号の中心周波数との差を局部発振信号の周波数として設定する。一方、セグメント「０」と「１」とが使用される場合、それらの中心の周波数「ｆ２」が中間信号の周波数に設定されている。そのため、ＲＦチャンネル・セグメント番号決定部４６は、放送信号の中心周波数と中間信号の中心周波数との差を、セグメント「０」の中心周波数と「ｆ２」との差だけシフトさせた周波数を局部発振信号の周波数として設定する。局発周波数決定部４８は、このように局部発振信号の周波数を決定する。図２に戻る。
【００３８】
制御部４０は、入力部４４において入力した情報、ＲＦチャンネル・セグメント番号決定部４６にて決定したＲＦチャンネル番号とセグメント番号、局発周波数決定部４８にて決定した局部発振信号の周波数を含むように、ひとつのテーブルを生成する。当該テーブルが、前述の第１テーブルに相当する。また、第１テーブルには、複数の中継装置１４に関する情報が含まれる。制御部４０は、生成した第１テーブルを記憶部４２に記憶する。図５は、記憶部４２に記憶された別のテーブルのデータ構造を示す。当該別のテーブルが、前述の第１テーブルに相当する。第１テーブルには、図示のごとく、中継装置名称欄２１０、ＩＰアドレス欄２１２、変調方式欄２１４、量子化数欄２１６、使用セグメント数欄２１８、ＲＦチャンネル欄２２０、セグメント番号欄２２２、局発周波数欄２２４、無線ＬＡＮ伝送路番号欄２２６が含まれる。
【００３９】
中継装置名称欄２１０には、中継装置１４を識別するための名称が含まれ、ＩＰアドレス欄２１２には、中継装置１４のＩＰアドレスが含まれ、変調方式欄２１４には、放送信号や中間信号にて使用される変調多値数が含まれる。また、これらの情報は入力部４４にて入力される。量子化数欄２１６は、量子化数決定部５０にて決定された量子化数が含まれる。使用セグメント数欄２１８には、放送信号にて使用されるセグメント数が含まれ、この情報も入力部４４にて入力される。ＲＦチャンネル欄２２０、セグメント番号欄２２２には、ＲＦチャンネル・セグメント番号決定部４６にて決定されたＲＦチャンネル番号、セグメント番号が含まれる。局発周波数欄２２４には、局発周波数決定部４８にて決定された局部発振信号の周波数が含まれる。無線ＬＡＮ伝送路番号欄２２６には、中継装置１４との通信に使用される無線通信システムの周波数に関する情報が含まれている。この情報も、入力部４４にて入力される。図２に戻る。
【００４０】
制御部４０は、記憶部４２から第１テーブルを抽出し、第１テーブルが含まれた通信信号を生成する。制御部４０は、通信信号を通信部５４へ出力する。通信部５４は、制御部４０からの通信信号も受けつけ、当該通信信号も送信する。ここで、第１テーブルが含まれた通信信号は、複数の中継装置１４へ送信されるべきであるので、当該通信信号には、ブロードキャスト送信あるいはマルチキャスト送信がなされる。このように第１テーブルが送信されることによって、局部発振信号の周波数に関する指示、量子化数が、各中継装置１４へ通知される。
【００４１】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４２】
図６は、中継装置１４の構成を示す。中継装置１４は、中継装置通信用アンテナ２４、中継装置送信用アンテナ２６、通信部８０、ＩＰ／シリアル変換部１６０、信号変換部１６２、パラメータ設定部１６４、制御部８６を含む。また、信号変換部１６２は、ＤＡ変換部１６６、周波数変換器１１６、送信増幅部１１８、送信用ＢＰＦ１２０、局部発振部１２２を含み、パラメータ設定部１６４は、量子化設定部１６８、周波数設定部９０、抽出部１７０を含む。図１のごとく、放送システム１００には、複数の中継装置１４が含まれている。
【００４３】
通信部８０は、図示しない通信部５４と同様に、無線ＬＡＮシステムに対応した通信機能を有する。通信部８０は、中継装置通信用アンテナ２４を介して、図示しない放送装置１０との通信を実行する。通信部５４は、中継装置通信用アンテナ２４を介して放送装置１０からの通信信号を受信する。ここで、通信信号には、第１テーブルも格納されている。そのため、通信部８０は、局部発振信号の周波数に関する指示や量子化数に関する情報も受信する。通信部８０は、受信した通信信号を復調した後、ＩＰ／シリアル変換部１６０へ出力する。
【００４４】
ＩＰ／シリアル変換部１６０は、図示しないシリアル／ＩＰ変換部１３４とは逆の動作を実行する。ＩＰ／シリアル変換部１６０は、通信部８０から、復調された通信信号を受けつける。ここで、通信信号は、第１テーブルおよびデジタル信号が含まれたＩＰパケットに相当する。ＩＰ／シリアル変換部１６０は、通信信号から、第１テーブルおよびデジタル信号を抽出する。ＩＰ／シリアル変換部１６０は、抽出したデジタル信号（以下、これも「デジタル信号」という）をＤＡ変換部１６６へ出力し、抽出した第１テーブルをパラメータ設定部１６４へ出力する。
【００４５】
抽出部１７０は、ＩＰ／シリアル変換部１６０から第１テーブルを受けつける。抽出部１７０は、第１テーブルから量子化数に関する情報を抽出し、抽出した量子化数に関する情報を量子化設定部１６８へ出力する。また、抽出部１７０は、第１テーブルから局部発振信号の周波数に関する情報も抽出し、局部発振信号の周波数に関する情報を周波数設定部９０へ出力する。これらの抽出の際、抽出部１７０は、自らの中継装置１４に対応した情報を抽出するように、第１テーブルを参照する。
【００４６】
量子化設定部１６８は、抽出部１７０から、量子化数に関する情報を受けつける。量子化設定部１６８は、受けつけた情報をもとに、ＤＡ変換部１６６に対して、アナログ／デジタル変換を実行する際の量子化数を設定する。ＤＡ変換部１６６は、量子化設定部１６８から受けつけた量子化数を設定する。また、ＤＡ変換部１６６は、ＩＰ／シリアル変換部１６０から、デジタル信号を受けつける。ＤＡ変換部１６６は、設定された量子化数をもとに、デジタル信号をデジタル／アナログ変換することによって、中間信号を生成する。ＤＡ変換部１６６は、中間信号を周波数変換器１１６へ出力する。
【００４７】
周波数設定部９０は、抽出部１７０から、局部発振信号の周波数に関する情報を受けつける。周波数設定部９０は、受けつけた情報をもとに、局部発振部１２２に対して、局部発振器の周波数を設定する。つまり、周波数設定部９０は、周波数変換の際のパラメータを指示に応じて設定する。局部発振部１２２は、周波数設定部９０による設定に応じた周波数の局部発振信号を周波数変換器１１６へ出力する。周波数変換器１１６は、局部発振部１２２から局部発振信号を入力するとともに、ＤＡ変換部１６６から中間信号を入力する。周波数変換器１１６は、中間信号に対して、中間周波数帯域から放送周波数帯域へ周波数変換することによって放送信号を生成する。周波数変換器１１６は、放送信号を送信増幅部１１８へ出力する。
【００４８】
送信増幅部１１８は、周波数変換器１１６からの放送信号を増幅し、送信用ＢＰＦ１２０へ出力する。送信用ＢＰＦ１２０は、受けつけた放送信号の放送周波数帯域外に含まれるイメージ信号等を減衰し、中継装置送信用アンテナ２６から放送信号を電磁波として送信する。なお、送信用ＢＰＦ１２０は、周波数設定部９０からの指示に応じて通過帯域を設定する。ここで、送信用ＢＰＦ１２０は、前述のようなチューナブルフィルタでなくてもよい。その際、局部発振部１２２をふたつ設けたダブルコンバージョンの構成とされ、さらにＬＰＦも設けられる。制御部８６は、中継装置１４全体の動作を制御する。
【００４９】
以上の構成による放送システム１００の動作を説明する。ユーザは、入力部４４に、各中継装置１４からの放送信号にて使用すべき変調方式やセグメント数の情報を入力する。量子化数決定部５０は、量子化数を決定し、ＲＦチャンネル・セグメント番号決定部４６は、ＲＦチャンネル番号およびセグメント番号を中継装置１４ごとに決定する。さらに、局発周波数決定部４８は、局部発振信号の周波数を中継装置１４ごとに決定する。制御部４０は、各種の決定結果をまとめるように第１テーブルを生成する。生成部３０、ＡＤ変換部１３２、シリアル／ＩＰ変換部１３４、通信部５４は、各中継装置１４に対応した番組が含まれた通信信号を生成する。その際、ＡＤ変換部１３２は、量子化数決定部５０によって設定された量子化数によって、中間信号をアナログ／デジタル変換する。通信部５４は、宛先となる中継装置１４へ通信信号を送信する。また、通信部５４は、第１テーブルが含まれた通信信号をブロードキャスト送信する。
【００５０】
中継装置１４の通信部８０は、放送装置１０からの通信信号を受信し、ＩＰ／シリアル変換部１６０は、通信信号からデジタル信号を抽出する。抽出部１７０は、第１テーブルを抽出する。量子化設定部１６８は、第１テーブルに含まれた量子化に関する情報に応じて、ＤＡ変換部１６６に量子化を設定する。ＤＡ変換部１６６は、デジタル信号をデジタル／アナログ変換することによって中間信号を生成する。周波数設定部９０は、第１テーブルに含まれた周波数をもとに、局部発振部１２２からの局部発振信号の周波数を設定する。周波数変換器１１６は、局部発振部１２２からの局部発振信号を使用しながら、中間信号を周波数変換することによって、放送信号を生成する。中継装置送信用アンテナ２６は、放送信号を送信する。受像装置１６は、中継装置１４からの放送信号を受信し、放送信号に含まれた番組を再生する。
【００５１】
以下、本発明の変形例を説明する。変形例は、実施例と同様に、放送装置１０、中継装置１４、受像装置１６とを含む放送システム１００に関する。変形例においても、放送装置１０から中継装置１４へ通信信号が送信され、中継装置１４は、放送信号を送信する。しかしながら、変形例の放送装置１０において量子化数を決定するための処理が、実施例において量子化数を決定するための処理と異なる。前述のごとく、番組を再生するために必要な所要ＣＮ値は、変調多値数に応じて定められる。そのような状況のもと、量子化数は、所要ＣＮ値を満たすように設定されればよい。変形例に係る放送装置１０は、変調多値数と所要ＣＮ値との関係を記憶し、ユーザから受けつけた変調多値数をもとに所要ＣＮ値を選択する。放送装置１０は、量子化数を変更しながらアナログ／デジタル変換を実行する。また、デジタル信号のＣＮ値を測定することによって、放送装置１０は、所要ＣＮ値を満たすような量子化数を決定する。
【００５２】
変形例に係る放送システム１００は、図１と同様のタイプであり、放送装置１０は、図２と同様のタイプであり、中継装置１４は、図６と同様のタイプである。そのため、ここでは、差異を中心に説明する。放送装置１０の入力部４４は、実施例と同様に、ユーザからの変調多値数の入力を受けつける。記憶部４２は、変調多値数と所要ＣＮ値との対応が示されたテーブルを記憶する。図７は、本発明の変形例に係る記憶部４２に記憶されたテーブルのデータ構造を示す。テーブルは、図示のごとく、変調方式欄２００、所要ＣＮ値欄２０４を含む。変調方式欄２００が変調多値数に相当し、ここでは、変調多値数「ＱＰＳＫ」に対応した所要ＣＮ値が「１０ｄＢ」のように規定されている。図２に戻る。量子化数決定部５０は、入力部４４から変調多値数を受けつける。量子化数決定部５０は、記憶部４２に記憶したテーブルを参照しながら、受けつけた変調多値数から所要ＣＮ値を導出する。
【００５３】
量子化数決定部５０は、量子化数を仮に決定し、ＡＤ変換部１３２へ出力することによって、仮に決定した量子化数をＡＤ変換部１３２でのアナログ／デジタル変換に使用させる。その際、初期の段階において、量子化数はなるべく小さい値に設定される。また、量子化数決定部５０は、ＡＤ変換部１３２において生成されたデジタル信号のＣＮ値を測定する。測定したＣＮ値が所要ＣＮ値を超えていれば、量子化数決定部５０は、仮に決定した量子化数を最終的に決定する。一方、測定したＣＮ値が所要ＣＮ値を超えていなければ、量子化数決定部５０は、量子化数を増加させて、前述の処理を繰り返す。測定したＣＮ値が所要ＣＮ値を超えたときの量子化数がＡＤ変換部１３２に設定される。
【００５４】
図８は、本発明の変形例に係る放送装置１０における量子化数決定手順を示すフローチャートである。入力部４４は、変調方式を入力する（Ｓ１０）。量子化数決定部５０は、記憶部４２に記憶したテーブルを参照することによって、変調方式に対応した所要ＣＮ値を取得する（Ｓ１２）。量子化数決定部５０は、ＡＤ変換部１３２の量子化数を初期値に設定する（Ｓ１４）。量子化数決定部５０は、デジタル信号のＣＮ値を測定する（Ｓ１６）。測定したＣＮ値が所要ＣＮ値よりも大きくなく（Ｓ１８のＮ）、量子化数を増加可能であれば（Ｓ２０のＹ）、量子化数決定部５０は、量子化数を増加して（Ｓ２２）、ステップ１６に戻る。一方、測定したＣＮ値が所要ＣＮ値よりも大きい場合（Ｓ１８のＹ）、あるいは量子化数を増加可能でなければ（Ｓ２０のＮ）、量子化数決定部５０は、量子化数を決定する（Ｓ２４）。
【００５５】
以下、本発明の別の変形例を説明する。別の変形例も、これまでと同様に、放送装置１０、中継装置１４、受像装置１６とを含む放送システム１００に関する。また、別の変形例は、変形例と同様に、変調多値数と所要ＣＮ値との関係を記憶し、ユーザから受けつけた変調多値数をもとに所要ＣＮ値を選択する。しかしながら、別の変形例に係る放送システム１００でのＣＮ値の測定方法が変形例と異なる。別の変形例に係る放送装置１０も、量子化数を変更しながらアナログ／デジタル変換を実行する。また、放送装置１０は、通信信号を中継装置１４へ送信し、通信信号のＣＮ値を中継装置１４に測定させる。放送装置１０は、測定したＣＮ値を中継装置１４から帰還させることによって、ＣＮ値を取得する。
【００５６】
別の変形例に係る放送システム１００は、図１と同様のタイプであり、放送装置１０は、図２と同様のタイプであり、中継装置１４は、図６と同様のタイプである。そのため、ここでは、差異を中心に説明する。放送装置１０の入力部４４は、ユーザからの変調多値数の入力を受け、記憶部４２は、変調多値数と所要ＣＮ値との対応が示されたテーブルを記憶する。量子化数決定部５０は、記憶部４２に記憶したテーブルを参照しながら、受けつけた変調多値数から所要ＣＮ値を導出する。量子化数決定部５０は、量子化数を仮に決定し、ＡＤ変換部１３２へ出力することによって、仮に決定した量子化数をＡＤ変換部１３２でのアナログ／デジタル変換に使用させる。その際、初期の段階において、量子化数はなるべく小さい値に設定される。通信部５４は、ＡＤ変換部１３２において生成されたデジタル信号をもとに、通信信号を生成し、通信信号を中継装置１４へ送信する。
【００５７】
中継装置１４の通信部８０は、通信信号を受信し、信号変換部１６２は、通信信号から放送信号を生成する。信号変換部１６２は、放送信号のＣＮ値を測定する。また、通信部８０は、測定したＣＮ値を放送装置１０へ送信する。放送装置１０の量子化数決定部５０は、通信部５４を介して、測定したＣＮ値を取得する。測定したＣＮ値が所要ＣＮ値を超えていれば、量子化数決定部５０は、仮に決定した量子化数を最終的に決定する。一方、測定したＣＮ値が所要ＣＮ値を超えていなければ、量子化数決定部５０は、量子化数を増加させて、前述の処理を繰り返す。測定したＣＮ値が所要ＣＮ値を超えたときの量子化数がＡＤ変換部１３２に設定される。
【００５８】
図９は、本発明の別の変形例に係る放送システム１００における量子化数決定手順を示すシーケンス図である。放送装置１０は、変調方式の入力を受けつける（Ｓ４０）。放送装置１０は、量子化数を設定し（Ｓ４２）、通信信号を送信する（Ｓ４４）。中継装置１４は、放送信号を生成し（Ｓ４６）、ＣＮ値を測定する（Ｓ４８）。中継装置１４は、測定したＣＮ値を通信信号に含めて放送装置１０へ送信する（Ｓ５０）。放送装置１０は、測定したＣＮ値を所要ＣＮ値と比較し（Ｓ５２）、量子化数を変更する（Ｓ５４）。放送装置１０は、通信信号を再び送信する（Ｓ５６）。中継装置１４は、放送信号を生成し（Ｓ５８）、ＣＮ値を測定する（Ｓ６０）。中継装置１４は、測定したＣＮ値を通信信号に含めて放送装置１０へ送信する（Ｓ６２）。放送装置１０は、測定したＣＮ値を所要ＣＮ値と比較し（Ｓ６４）、量子化数を決定する（Ｓ６６）。
【００５９】
本発明の実施例によれば、放送装置と中継装置との間において、無線ＬＡＮシステムを使用するので、中継装置からの送信電力を低くできる。また、中継装置からの送信電力を低くするので、干渉の発生を抑制できる。また、干渉の発生が抑制されるので、中継装置の設置の自由度を高くできる。また、放送装置と中継装置との間において、無線ＬＡＮシステムを使用するので、エリアを拡大できる。また、放送装置と中継装置との間において、無線ＬＡＮシステムを使用するので、中継装置の設置の自由度を高くしながら、エリアを拡大できる。
【００６０】
また、中継装置において、放送信号に関する変調機能が省略されるので、中継装置の処理を簡易にできる。また、放送装置から中継装置へ第１テーブルを送信するので、第１テーブルにしたがって中継装置は動作するので、中継装置における処理を簡易にできる。また、中継装置の処理が簡易にされるので、コストを低減できる。また、放送装置は、中継装置間の干渉を考慮してチャンネルを決定するので、干渉を低減できる。また、干渉が低減されるので、放送の品質を向上できる。また、中継装置は、第１テーブルにしたがって局部発振信号の周波数を設定するので、処理を簡易にできる。また、複数の中継装置に関する情報を第１テーブルに含めるので、複数の中継装置を制御できる。
【００６１】
また、中継装置において、変調方式に応じて量子化数を調節するので、通信品質の悪化を抑制しながら、通信信号の容量の増加を削減できる。また、通信信号の伝送容量の増加が抑制されるので、放送装置と中継装置との間において、インターネットアクセスのための信号が送信される場合であっても、インターネットアクセスに与える影響を低減できる。また、実際に生成したデジタル信号のＣＮ値をもとに量子化数を決定するので、量子化数の決定精度を向上できる。また、実際に生成した放送信号のＣＮ値をもとに量子化数を決定するので、量子化数の決定精度を向上できる。
【００６２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６３】
本発明の実施例において、放送装置１０と中継装置１４との間の通信システムが、無線ＬＡＮシステムであるとしている。しかしながらこれに限らず例えば、通信システムが有線ＬＡＮシステムであってもよい。本変形例によれば、通信システムの伝送品質を向上できる。また、有線ＬＡＮシステムの伝送速度が高速である場合、放送システム１００に収容する中継装置１４の数を増加できる。
【００６４】
本発明の実施例において、量子化数決定部５０は、量子化数を特定し、ＡＤ変換部１３２に量子化数を設定する。しかしながらこれに限らず例えば、ＡＤ変換部１３２は、一定の量子化数でアナログ・デジタル変換を実行し、ＭＳＢから指定の量子化桁数のみを出力してもよい。その際、量子化数決定部５０は、ＭＳＢからの量子化桁数を特定して、ＡＤ変換部１３２に設定する。本変形例によれば、ＡＤ変換部１３２の設計の自由度を向上できる。
【００６５】
本発明の実施例において、量子化数が可変に設定されている。しかしながらこれに限らず、放送システム１００で使用する変調方式が、ＱＰＳＫのみのように１種類である場合など、ＡＤ変換部１３２は、予め定められた量子化数にてアナログ／デジタル変換を実行してもよい。本変形例によれば、処理を簡易にできる。
【００６６】
本発明の実施例において、放送装置１０は、複数の中継装置１４に関する情報をまとめるように第１テーブルを生成し、第１テーブルを複数の中継装置１４へ報知している。しかしながらこれに限らず例えば、放送装置１０は、各中継装置１４に対して、第１テーブルをそれぞれ作成し、第１テーブルに対応した中継装置１４のみへ当該第１テーブルをユニキャスト送信してもよい。その際、第１テーブルの宛先は、当該第１テーブルに対応した中継装置１４のＩＰアドレスとされる。本変形例によれば、中継装置１４は、第１テーブルから、自らに対応した情報を抽出しなくてもよいので、中継装置１４の処理量を低減できる。
【００６７】
本発明の実施例において、放送装置１０における複数の生成部３０は、複数の中継装置１４にそれぞれ対応付けられるように、つまり１対１で対応付けられるように設けられる。しかしながらこれに限らず例えば、複数の中継装置１４に対して、ひとつの生成部３０が設けられてもよい。その際、当該複数の中継装置１４に対して、放送装置１０は通信信号をマルチキャスト送信する。本変形例によれば、複数の中継装置１４から同一の番組を送信する場合に、通信信号のトラヒックを低減できる。
【図面の簡単な説明】
【００６８】
【図１】本発明の実施例に係る放送システムの構成を示す図である。
【図２】図１の放送装置の構成を示す図である。
【図３】図２の記憶部に記憶されたテーブルのデータ構造を示す図である。
【図４】図２の局発周波数決定部の動作概要を示す図である。
【図５】図２の記憶部に記憶された別のテーブルのデータ構造を示す図である。
【図６】図１の中継装置の構成を示す図である。
【図７】本発明の変形例に係る記憶部に記憶されたテーブルのデータ構造を示す図である。
【図８】本発明の変形例に係る放送装置における量子化数決定手順を示すフローチャートである。
【図９】本発明の別の変形例に係る放送システムにおける量子化数決定手順を示すシーケンス図である。
【符号の説明】
【００６９】
１０  放送装置、  １４  中継装置、  １６  受像装置、  ２２  放送装置用アンテナ、  ２４  中継装置通信用アンテナ、  ２６  中継装置送信用アンテナ、  ２８  受像装置用アンテナ、  ３０  生成部、  ３２  データ受付部、  ３４  変調部、  ３６  ＩＦＦＴ部、  ３８  直交変調部、  ４０  制御部、  ４２  記憶部、  ４４  入力部、  ４６  ＲＦチャンネル・セグメント番号決定部、  ４８  局発周波数決定部、  ５０  量子化数決定部、  ５４  通信部、  ８０  通信部、  ８６  制御部、  ９０  周波数設定部、  １００  放送システム、  １１６  周波数変換器、  １１８  送信増幅部、  １２０  送信用ＢＰＦ、  １２２  局部発振部、  １３２  ＡＤ変換部、  １３４  シリアル／ＩＰ変換部、  １６０  ＩＰ／シリアル変換部、  １６２  信号変換部、  １６４  パラメータ設定部、  １６６  ＤＡ変換部、  １６８  量子化設定部、  １７０  抽出部。
【図１】
2010109469.tif 000003
【図２】
2010109469.tif 000004
【図３】
2010109469.tif 000005
【図４】
2010109469.tif 000006
【図５】
2010109469.tif 000007
【図６】
2010109469.tif 000008
【図７】
2010109469.tif 000009
【図８】
2010109469.tif 000010
【図９】
2010109469.tif 000011